(57)【要約】【課題】シールドが施された電源線を使用しなくても、電源線から発生する妨害電波を低減できる炊飯器を提供する。【解決手段】炊飯器は、上部から内釜が出し入れ自在に収納され、内釜を誘導加熱する誘導加熱コイルを有する本体部と、本体部の上部を開閉自在に閉じる蓋部と、本体部の底板のうち誘導加熱コイルの下方の位置に設置されたコードリールと、誘導加熱コイルの下方に配置された複数のフェライトと、本体部を前方から見て、コードリールよりも後方の位置に配置された電源基板と、コードリールと電源基板とを接続する電源線とを備え、電源線は、複数のフェライトのうちコードリールの上方に位置するフェライトに沿って配線され、更に、電源線は、フェライトの先端より先であって、誘導加熱コイルの真下に位置する部分にフェライトコアが設けられている。【選択図】図３
2018153211.tif 000002
【特許請求の範囲】
【請求項１】
上部から内釜が出し入れ自在に収納され、前記内釜を誘導加熱する誘導加熱コイルを有する本体部と、前記本体部の上部を開閉自在に閉じる蓋部と、前記本体部の底板のうち前記誘導加熱コイルの下方の位置に設置されたコードリールと、前記誘導加熱コイルの下方に配置された複数のフェライトと、前記本体部を前方から見て、前記コードリールよりも後方の位置に配置された電源基板と、前記コードリールと前記電源基板とを接続する電源線とを備えた炊飯器において、
前記電源線は、前記複数のフェライトのうち前記コードリールの上方に位置するフェライトに沿って配線され、更に、前記電源線は、当該フェライトの先端より先であって、前記誘導加熱コイルの真下に位置する部分にフェライトコアが設けられていることを特徴とする炊飯器。
【請求項２】
前記コードリールにおける前記電源線の口出し位置が前記電源基板側に向けられていることを特徴とする請求項１記載の炊飯器。
【請求項３】
前記電源線と前記誘導加熱コイルの口出し線とが前記電源基板の両端部にそれぞれ接続されていることを特徴とする請求項１又は２記載の炊飯器。
【請求項４】
前記本体部を前方から見て、前後に位置する板金製の前カバーおよび後カバーにより構成され、下部に開口を有する電源基板カバーを備え、
前記電源基板は、前記電源基板カバーにより覆われていることを特徴とする請求項１〜３の何れか１項に記載の炊飯器。
【請求項５】
前記底板上に設けられた枠体によって形成され、前記電源基板カバーが設置されるカバー台座と、
前記底板の前記カバー台座の内側の部分に設置された板金製の板部材と
を備えたことを特徴とする請求項４記載の炊飯器。
【発明の詳細な説明】
【技術分野】
【０００１】
本発明は、誘導加熱コイルで内釜を誘導加熱する炊飯器に関するものである。
【背景技術】
【０００２】
誘導加熱コイルを備えた炊飯器において、他の電化製品に与える妨害電波の漏れを抑制することは、ユーザーが各家庭で快適に電化製品を使用する上で重要である。
従来の炊飯器として、例えば、特許文献１に記載のものがある。この炊飯器においては、発熱素子が異常に発火しても、周囲の成型品への延焼を起こさないように、電源基板の周囲を金属バリアーで覆っている。この金属バリアーは、延焼防止の他に、電源基板に対して誘導加熱コイルが発する磁界を遮断することができる。逆に、電源基板から発生する高周波電流による電磁波が妨害電波となって外部に漏れないようにすることもできる。
【先行技術文献】
【特許文献】
【０００３】
【特許文献１】特許第５５３４８２４号公報
【発明の概要】
【発明が解決しようとする課題】
【０００４】
しかし、特許文献１に記載の炊飯器では、誘導加熱コイルが近接して配置される内鍋を挟んで、手前側に電源基板、奧側にコードリールが配置されているため、電源基板とコードリールとを接続する電源線が長くなっている。このため、誘導加熱コイルからの漏れ磁束によって電源線に高周波のノイズ電流が発生して電源基板の回路中に侵入し、また、電源線がアンテナとなって、そのノイズ電流によって生じた磁場が妨害電波となって炊飯器の外部に放射され、他の電化製品に影響を与えるおそれがある。特にシールドが施されていない電源線からの妨害電波の放出が大きくなっている。この妨害電波の発生を抑制するために、長い電源線をシールドする必要性が生じるが、コストが増大するという課題がある。また、電源線が長い場合には、所要のレベルまでの妨害電波の抑制が困難になるという課題があった。
【０００５】
本発明は、前述のような課題を解決するためになされたものであり、シールドが施された電源線を使用しなくても、電源線から発生する妨害電波を低減できる炊飯器を提供することを目的とする。
【課題を解決するための手段】
【０００６】
本発明に係る炊飯器は、上部から内釜が出し入れ自在に収納され、内釜を誘導加熱する誘導加熱コイルを有する本体部と、本体部の上部を開閉自在に閉じる蓋部と、本体部の底板のうち誘導加熱コイルの下方の位置に設置されたコードリールと、誘導加熱コイルの下方に配置された複数のフェライトと、本体部を前方から見て、コードリールよりも後方の位置に配置された電源基板と、コードリールと電源基板とを接続する電源線とを備えた炊飯器において、電源線は、複数のフェライトのうちコードリールの上方に位置するフェライトに沿って配線され、更に、電源線は、フェライトの先端より先であって、誘導加熱コイルの真下に位置する部分にフェライトコアが設けられている。
【発明の効果】
【０００７】
本発明によれば、誘導加熱コイルの下方の位置にコードリールを設置し、コードリールよりも後方の位置に電源基板を設置し、そして、コードリールと電源基板とを接続する電源線をコードリールの上方に位置するフェライトに沿って配線している。また、その電源線には、誘導加熱コイルの真下に位置する部分にフェライトコアを設けている。これにより、電源線の長さが従来技術と比べ短くなっている上に、誘導加熱コイルから漏れる磁束がフェライトとフェライトコアとに吸収されるので、シールドが施されていない電源線を使用しても電源線に流れる高周波のノイズ電流を抑えることができ、そのノイズ電流によって電源線に発生する磁場による妨害電波を低減できる。
【図面の簡単な説明】
【０００８】
【図１】本発明の実施の形態に係る炊飯器の横断面図である。
【図２】図１に示す炊飯器の分解斜視図である。
【図３】図２の炊飯器の下ケースの内部を示す平面図である。
【図４】図１に示す炊飯器において下ケースを分離した状態の横断面図である。
【発明を実施するための形態】
【０００９】
図１は本発明の実施の形態に係る炊飯器の横断面図、図２は図１に示す炊飯器の分解斜視図、図３は図２の炊飯器の下ケースの内部を示す平面図、図４は図１に示す炊飯器において下ケースを分離した状態の横断面図である。
【００１０】
図１〜図４において、本実施の形態に係る炊飯器１００は、本体部１０と、本体部１０の上部を開閉自在に閉じる蓋部３０とを備えている。本体部１０は、上本体ケース１１と、上本体ケース１１の下部に設けられた下本体ケース１２とで外郭が形成されている。上本体ケース１１は、図２に示すように、前ケース１１ａと後ケース１１ｂとで、上下方向が開放された直方体状に形成されている。
【００１１】
前ケース１１ａは、内遮熱板１３、コイル台１４などの前方および側方を覆い、後ケース１１ｂは、その内遮熱板１３およびコイル台１４の後方に設置された電源基板カバー２０側を覆っている。また、前ケース１１ａの前部には蓋開閉ボタン１９が設けられ、後ケース１１ｂの上部にはヒンジ部３７が設けられている。下本体ケース１２には、上本体ケース１１の下部を塞ぐ底板１２ａが設けられている。
【００１２】
蓋部３０は、本体部１０の上部にヒンジ部３７によって開閉自在に設けられている。蓋部３０のヒンジ部３７側の位置に蒸気口３２が設けられ、蓋部３０の内側に内蓋３１が取り外し自在に装着されている。この蓋部３０は、本体部１０の上部を閉じたときに蓋開閉ボタン１９によって係止され、蓋開閉ボタン１９を奧側に押圧したときには係止が解除されて本体部１０の上部を開放するように構成されている。
【００１３】
また、蓋部３０の前部には、操作表示部３４が設けられている。操作表示部３４は、図２に示すように、炊飯キー、保温キー、メニュー選択キーなどを有する操作部３４ａと、表示窓３４ｂとで構成されている。表示窓３４ｂは、蓋部３０の内側に設置された表示部３６に対向する位置に設けられている。表示部３６は、操作基板３５に実装され、各種のキー操作に応じて炊飯機能、炊飯動作などを表示する。操作基板３５には、操作部３４ａからの操作信号に応じて、電源基板２１に制御信号を出力すると共に、操作信号に基づく炊飯機能などを表示部３６に表示する制御回路が実装されている。
【００１４】
前述した内遮熱板１３は、円筒形状に形成され、外周面には胴ヒーター１３ａが巻き付けられている。コイル台１４は、ほぼ深皿形状に形成され、内遮熱板１３の下に設置されている。コイル台１４の外側の面には、渦巻状に巻回された誘導加熱コイル１７が配設されている。本体部１０には、内遮熱板１３とコイル台１４とで形成される内釜収納部１５が設けられている。この内釜収納部１５は、底部を有する円筒形状に形成され、内釜４０が出し入れ自在に収納される。コイル台１４の中央部には、温度センサー１６が設置されている。
【００１５】
誘導加熱コイル１７は、電源基板２１からの高周波電流により交番磁界を発生し、内釜収納部１５に収納された内釜４０を電磁誘導により加熱する。胴ヒーター１３ａは、炊飯時および保温時に通電されて発熱し、内釜４０を加熱する。温度センサー１６は、例えばサーミスタからなり、内釜４０の底部に当接して内釜４０の温度を検出する。
【００１６】
電源基板２１は電源基板カバー２０により覆われる。電源基板カバー２０は、本体部１０を前方（蓋開閉ボタン１９が設けられた正面側）から見て、蓋開閉ボタン１９側を前方として見た場合に、前後に位置する板金製の前カバー２０ａおよび後カバー２０ｂにより構成され、下本体ケース１２側に開口を有している。この電源基板カバー２０は、前述したように開口を下本体ケース１２側に向けた状態で、図３に示すカバー台座２３、２４に設置される。電源基板２１には、コードリール２２に接続された電源線５０（図３参照）と、誘導加熱コイル１７の口出し線５０ａとが互いに離隔された状態で接続されている。つまり、電源線５０と誘導加熱コイル１７の口出し線５０ａは、電源基板２１の両端部に実装された電源用コネクタにそれぞれ接続されている。
【００１７】
下本体ケース１２の底板１２ａには、冷却ファンユニット１８およびコードリール２２が設置されている。冷却ファンユニット１８は、本体部１０を前方から見て、底板１２ａの後部の位置であって、底板１２ａの左右方向の中央に手前が低く奧側が高くなるよう斜めに設置されている。コードリール２２は、底板１２ａのうち誘導加熱コイル１７の下方の位置に設置される。コードリール２２は、本体部１０を前方から見て、底板１２ａの左側の位置であって、底板１２ａの前後方向のほぼ中央に設置されている。電源基板２１は本体部１０を前方から見て、コードリール２２よりも後方の位置に配置される。コードリール２２における電源線５０の口出し位置は電源基板２１側に向けられている。これにより、コードリール２２と電源基板２１とを接続する電源線５０の長さをより短くできる。前述のコードリール２２には、下本体ケース１２の左側の側壁から露出する電源プラグ５２（図３参照）が引き出し自在に設けられている。
【００１８】
また、底板１２ａの冷却ファンユニット１８の両側に、前述したカバー台座２３、２４が配置されている。このカバー台座２３、２４は、底板１２ａ上に設けられた枠体によって形成され、その内側に板金製の板部材が設置されている。カバー台座２３、２４には、電源基板カバー２０が冷却ファンユニット１８を跨いだ状態で設置される。また、カバー台座２３、２４のコードリール２２側の側壁には、それぞれ穴２３ａ、２４ａが設けられている。穴２３ａには、電源線５０が挿入され、穴２４ａには、誘導加熱コイル１７の口出し線５０ａが挿入される。
【００１９】
誘導加熱コイル１７の下方には、誘導加熱コイル１７に流れる高周波電流によって発生する誘導加熱コイル１７から漏れる磁束を吸収する複数の板状のフェライト１７ａが渦巻状の誘導加熱コイル１７の中央を中心として四方へ配置されている。複数のフェライト１７ａの内、少なくとも１つのフェライト１７ａは、コードリール２２の上方に配置される。
【００２０】
コードリール２２から引き出された電源線５０は、図３に示すように、４本のフェライト１７ａのうち、コードリール２２の上方に位置するフェライト１７ａに沿って配線されている。また、図３および図４に示すように、電源線５０のフェライト１７ａの先端から先の部分であって、誘導加熱コイル１７の真下、即ち誘導加熱コイル１７の範囲内に位置する一部の電源線５０に、円筒形状のフェライトコア５１が設けられている。
【００２１】
以上のように、誘導加熱コイル１７の下方の位置にコードリール２２を設置し、コードリール２２よりも後方の位置に電源基板２１を設置しているので、コードリール２２と電源基板２１とを接続する電源線５０の長さが従来技術と比べ短くなっている。このように、電源線５０の長さが短くなっているので、誘導加熱コイルから漏れる磁束によって電源線５０に流れる高周波のノイズ電流の発生を抑えることができる。
【００２２】
また、電源線５０をコードリール２２上に位置するフェライト１７ａに沿って配線し、その電源線５０の誘導加熱コイル１７の真下に位置する部分にフェライトコア５１を設けている。この構成により、誘導加熱コイル１７から漏れる磁束がフェライト１７ａとフェライトコア５１とに吸収されるので、シールドが施されていない電源線５０を使用しても電源線５０に流れる高周波のノイズ電流を抑えることができ、そのノイズ電流によって電源線５０に発生する磁場による妨害電波を低減できる。
【００２３】
更に、電源基板カバー２０を板金により構成し、また、カバー台座２３、２４の内側に板金製の板部材が設置されているので、高周波のノイズ電流によって電源線５０から発生する磁場による妨害電波の漏れを抑えることができる。このため、他の電化製品への影響を抑えることができる。
【符号の説明】
【００２４】
１０  本体部、１１  上本体ケース、１１ａ  前ケース、１１ｂ  後ケース、１２  下本体ケース、１２ａ  底板、１３  内遮熱板、１３ａ  胴ヒーター、１４  コイル台、１５  内釜収納部、１６  温度センサー、１７  誘導加熱コイル、１７ａ  フェライト、１８  冷却ファンユニット、１９  蓋開閉ボタン、２０  電源基板カバー、２０ａ  前カバー、２０ｂ  後カバー、２１  電源基板、２２  コードリール、２３、２４  カバー台座、２３ａ、２４ａ  穴、３０  蓋部、３１  内蓋、３２  蒸気口、３４  操作表示部、３４ａ  操作部、３４ｂ  表示窓、３５  操作基板、３６  表示部、３７  ヒンジ部、４０  内釜、５０  電源線、５０ａ  口出し線、５１  フェライトコア、５２  電源プラグ、１００  炊飯器。
【図１】
2018153211.tif 000003
【図２】
2018153211.tif 000004
【図３】
2018153211.tif 000005
【図４】
2018153211.tif 000006